(57)【要約】【課題】軽量化を図りつつ適正な剛性を保ち、かつ狭隘な車輪スペースにも搭載可能なディスクブレーキ装置を提供する。【解決手段】シリンダ部１４と、切欠き部１６ａを有する爪部１６とをセンタブリッジ１８とサイドブリッジ２０とにより接続し、センタブリッジ１８とサイドブリッジ２０との間に設けられた切欠き部２１とを備えるキャリパボディ１２と、シリンダ部１４と爪部１６との間であり、切欠き部２１からキャリパボディ１２の外部に露出し、センタブリッジ１８およびサイドブリッジ２０を構成する背肉の厚みの範囲内に配置されるガイドピン案内部３２を備えるサポート２４と、サポート２４におけるガイドピン案内部３２に摺動するガイドピン５２と、切欠き部１６ａにおけるロータ６０の回入側と回出側のそれぞれで、爪部１６のロータ対向面に螺合されたアウタ側ブレーキパッド４２と、を備えることを特徴とする。【選択図】図１
2014101998.tif 000002
【特許請求の範囲】
【請求項１】
ロータのインナ側に配置されたシリンダ部と、前記ロータのアウタ側に配置されてシリンダ配置位置と対向する位置に内周側切欠き部を有する爪部とをセンタブリッジと当該センタブリッジを基点として前記ロータの回入側および回出側に配置されたサイドブリッジとにより接続し、前記センタブリッジと前記サイドブリッジとの間に設けられた外周側切欠き部とを備えるキャリパボディと、
前記シリンダ部と前記爪部との間であり、前記外周側切欠き部からキャリパボディ外部に露出し、前記センタブリッジおよび前記サイドブリッジを構成する背肉の厚みの範囲内に配置されるガイドピン案内部を備えるサポートと、
前記サポートにおける前記ガイドピン案内部に摺動するガイドピンと、
前記ロータのインナ側およびアウタ側にそれぞれ配置される一対のブレーキパッドと、を備え、
アウタ側ブレーキパッドは、前記内周側切欠き部における前記ロータの回入側と回出側のそれぞれで、前記爪部の前記ロータ対向面に螺合されていることを特徴とするディスクブレーキ装置。
【請求項２】
前記ガイドピン案内部には、前記ガイドピンと同様な強度を有する部材により構成されたスリーブが備えられ、前記ガイドピンは、前記スリーブの内周側を摺動することを特徴とする請求項１に記載のディスクブレーキ装置。
【請求項３】
前記ガイドピンは、前記スリーブ内において、前記爪部における前記ロータとの対向面に至る長さを有し、
前記アウタ側ブレーキパッドは、摩擦部材と前記爪部に螺合されるプレッシャプレートを有し、前記プレッシャプレートには、制動時に前記スリーブに当接する耳部が設けられていることを特徴とする請求項２に記載のディスクブレーキ装置。
【請求項４】
前記耳部は、前記ロータの回出側に位置するスリーブに対する当接面を有することを特徴とする請求項２または３に記載のディスクブレーキ装置。
【請求項５】
前記外周側切欠き部は、前記ロータの回入側に位置する前記サイドブリッジ側の側壁に、前記スリーブに対する当接面を有することを特徴とする請求項４に記載のディスクブレーキ装置。
【請求項６】
前記耳部は、前記ロータの回入側、および回出側の双方に位置するスリーブに対する当接面を有することを特徴とする請求項２または３に記載のディスクブレーキ装置。
【請求項７】
前記ロータの中心と前記シリンダ配置位置の中心とを通る直線に平行な軸をＹ軸と定めた場合に、前記スリーブに対する２面または４面の前記当接面がそれぞれ平行で、かつ前記Ｙ軸に平行に配置されていることを特徴とする請求項４乃至６のいずれか１項に記載のディスクブレーキ装置。
【請求項８】
前記プレッシャプレートにおける前記爪部との対向面側には、螺号のために前記爪部に設けられた貫通孔に嵌入可能なボスが設けられることを特徴とする請求項１乃至７のいずれか１項に記載のディスクブレーキ装置。
【請求項９】
前記キャリパボディと、前記スリーブとの間に、アンチラトルスプリングを設けたことを特徴とする請求項２乃至８のいずれか１項に記載のディスクブレーキ装置。
【請求項１０】
前記スリーブにおける前記アウタ側ブレーキパッドおよび／または前記キャリパボディとの接触部を覆うカバープレートと、
前記プレッシャプレートと前記爪部との間に介在される本体プレートとを備え、
前記カバープレートと前記本体プレートとをバネ部材で接続しているパッドクリップを設けたことを特徴とする請求項３乃至９のいずれか１項に記載のディスクブレーキ装置。
【請求項１１】
前記内周側切欠き部と前記爪部との段差を埋めるカバーを備えたことを特徴とする請求項１乃至１０のいずれか１項に記載のディスクブレーキ装置。
【請求項１２】
前記カバーは、
前記アウタ側ブレーキパッドのプレッシャプレートと、前記爪部との間に介在されるベースプレートと、
前記爪部に形成された前記内周側切欠き部を介してアウタ側に露出するカバープレートと、を有することを特徴とする請求項１１に記載のディスクブレーキ装置。
【請求項１３】
前記ベースプレートには、前記アウタ側ブレーキパッドと共に爪部に共締め可能とするための固定孔を設けたことを特徴とする請求項１２に記載のディスクブレーキ装置。
【発明の詳細な説明】
【技術分野】
【０００１】
本発明は、ディスクブレーキ装置に係り、特にフローティング型のディスクブレーキ装置に関する。
【背景技術】
【０００２】
ディスクブレーキ装置において、高い制動力を得るためには、大径のロータを採用することが望ましいとされている一方で、ホイールの内径に収容されるディスクブレーキ装置には、その配置に際してスペース的な制限が課せられている。
【０００３】
このような観点から、ディスクブレーキ装置を構成するキャリパボディには、小型化の要請が強い。さらに、車両の運動性能を向上させるため、軽量化といった課題も課せられている。ここで、フローティング型のディスクブレーキ装置は、ロータのインナ側とアウタ側の双方にピストンを備えるオポーズド型のディスクブレーキ装置に比べ、小型、軽量化に適し、廉価に製造することができることで知られている。
【０００４】
フローティング型のディスクブレーキ装置において、特に小型、軽量化を図る目的で提案されているものとして、特許文献１、２に開示されているようなタイプのものが知られている。特許文献１、２に開示されているディスクブレーキ装置は、通常、ロータのインナ側に配置されたピストンによる押圧力を受ける反力受けとなる爪部の役割をアウタ側に配置するブレーキパッドの背板であるプレッシャプレートに代用させた構造を採っている。すなわち、アウタ側ブレーキパッドのプレッシャプレートをそのまま、キャリパボディの一部として固定する構成である。
【０００５】
このような構成のディスクブレーキ装置は、確かに小型、軽量化を図ることができる。しかし、反力受けがプレッシャプレートのみとなるため、キャリパボディの強度不足が懸念される。
【０００６】
また、従来、ロータのアウタ側に配置されていたサポートのアウタブリッジを廃し、装置全体の軽量化を図った構成のフローティング型ディスクブレーキ装置が、特許文献３に開示されている。特許文献３に開示されているディスクブレーキ装置は、従来は、アウタ側に延設されたサポートにガイドされるアウタ側ブレーキパッドのプレッシャプレートを、キャリパボディにおける反力受けである爪部にボルト固定する構成を採っている。このような構成のディスクブレーキ装置では、プレッシャプレートがキャリパボディの剛性を補助する一方で、キャリパボディにおけるブリッジの肉厚が薄いため、制動時にキャリパボディに生ずるチルト量が増え、偏摩耗等が生じる虞がある。
【０００７】
さらに、特許文献４には、キャリパの安定性とねじれ剛性を高めるために、キャリパの下側縁部を取り囲むフレームを備える構成としたディスクブレーキ装置が開示されている。このような構成のディスクブレーキ装置では、サポートのアウタ側フレームを、ロータの回入側と回出側とで接続するサポートのアウタ側ブリッジを排除し、軽量化が図られている。そして、アウタ側ブレーキパッドを爪部にバネ支持することで、制動トルクの一部をキャリパにおける爪部で受けるようにし、キャリパの縁部を囲むフレームにより、キャリパ全体の剛性を高めるようにしている。
【０００８】
ディスクブレーキ装置の性能を高める手法として、ロータの回出側と回入側における制動トルクの受け方の使い分けを適切に行うことが知られている。特許文献４や、特許文献５のように、サポートのアウタブリッジを廃したディスクブレーキ装置では、アウタ側ブレーキパッドの制動時のトルクを摺動部材により受ける構成としている。
【先行技術文献】
【特許文献】
【０００９】
【特許文献１】特開平８−４９７３６号公報
【特許文献２】特開２００２−８９５９６号公報
【特許文献３】特開昭５６−８０５３０号公報
【特許文献４】特表２００１−５０３５００号公報
【特許文献５】特許第４６５８９２０号公報
【発明の概要】
【発明が解決しようとする課題】
【００１０】
上述したように、上記特許文献１、２に開示されているディスクブレーキ装置によれば、キャリパのアウタ側に配置されていた爪部が排除されるため、従来に比べて小型化、軽量化を図ることができる。しかし、アウタ側ブレーキパッドのプレッシャプレートが、ピストンによる押圧に対する反力受けとなるため、制動時に生ずるキャリパの開きが大きくなる虞があり、キャリパの剛性不足が懸念される。
【００１１】
また、特許文献３に開示されているディスクブレーキ装置においても、アウタ側ブレーキパッドを爪部にボルト固定することで、アウタ側に配置されるサポートが不要となり、軽量化を図ることができる。しかし、このような構成とした場合、アウタ側ブレーキパッドの制動トルクを全て爪部で受けることとなる。このため、キャリパのチルト量が増加し、偏摩耗等が生ずることが懸念される。
【００１２】
さらに、特許文献４に開示されているディスクブレーキ装置では、サポートのアウタ側ブリッジの排除により軽量化が図られているが、キャリパ下側縁部全域を囲うフレームが設けられているため、軽量化としての効果が薄い。また、サポートのアウタ側フレームをロータの外周よりも内側に配置しているため、キャリパとの干渉を防ぐための切欠きについても、爪部を大きくえぐるように設ける必要があり、キャリパの剛性を下げている。このため、キャリパのシリンダ部と爪部を接続するブリッジの背肉を厚くすることで、全体の剛性不足を補っているが、このような対応を採った場合には、ロータとホイール内壁との隙間を厚くした背肉分だけ広くする必要が生じてしまう。
【００１３】
そこで本発明では、軽量化を図りつつ適正な剛性を保ち、かつ狭隘な車輪スペースにも搭載可能なディスクブレーキ装置を提供することを第１の目的とする。
また、近年では、車輪を構成するホイールの軽量化の他、デザイン性を重視したものが流行している。このようなホイールを採用した場合、ホイールを構成するスポーク間から、ディスクブレーキ装置のアウタ側外観が視認することができ、そのデザイン性にも需要者の関心が高められている。
【００１４】
このため、フローティング型のディスクブレーキ装置を採用している車両等では、キャリパ全体を被覆し、オポーズド型のディスクブレーキ装置のような外観を得るカバーが提案されている。しかし、キャリパ全体を覆う従来のカバーは、ディスクブレーキ装置全体の重量を増加させることにより、車両としての燃費性能を低下させることとなる。また、汎用性を高めるために組付け性が不安定となっており、走行中に脱落する危険性もある。また、キャリパ全体を覆った場合、制動時に生じる熱を放熱する作用が低下し、ブレーキ性能を低下させる虞もある。このように、従来のカバーは、機能的でないばかりでなく、環境問題対策（ｅｃｏｌｏｇｙ）的にもこれに反する作用を成すものであった。
【００１５】
そこで本発明では、ディスクブレーキ装置の外観デザインを向上させることができ、かつ軽量で組付け安定性が良く、ブレーキ性能の低下を招く虞の無いことを基本とし、さらには、キャリパボディの剛性を高める作用を担うことのできるディスクブレーキ用カバーを提供することを第２の目的とする。
【課題を解決するための手段】
【００１６】
本発明は、上記目的のうちの少なくとも１つを解決するための提案であり、第１の目的を解決するためのディスクブレーキ装置は、ロータのインナ側に配置されたシリンダ部と、前記ロータのアウタ側に配置されてシリンダ配置位置と対向する位置に内周側切欠き部を有する爪部とをセンタブリッジと当該センタブリッジを基点として前記ロータの回入側および回出側に配置されたサイドブリッジとにより接続し、前記センタブリッジと前記サイドブリッジとの間に設けられた外周側切欠き部とを備えるキャリパボディと、前記シリンダ部と前記爪部との間であり、前記外周側切欠き部からキャリパボディ外部に露出し、前記センタブリッジおよび前記サイドブリッジを構成する背肉の厚みの範囲内に配置されるガイドピン案内部を備えるサポートと、前記サポートにおける前記ガイドピン案内部に摺動するガイドピンと、前記内周側切欠き部における前記ロータの回入側と回出側のそれぞれで、前記爪部の前記ロータ対向面に螺合されたアウタ側ブレーキパッドと、を備えることを特徴とする。
【００１７】
また、上記のような特徴を有するディスクブレーキ装置において前記ガイドピン案内部には、前記ガイドピンと同様な強度を有する部材により構成されたスリーブが備えられ、前記ガイドピンは、前記スリーブの内周側を摺動する構成とすると良い。
【００１８】
このような構成とすることによれば、ガイドピン構成部材とサポート構成部材とを異なる材質の部材により構成した場合であっても、ガイドピンの摺動面は、同様な強度を有する部材により構成されたスリーブの内周面となる。このため、摺動面に電蝕(電気科学的腐食)や傷などが生じ、摺動性の悪化を招く虞が無く、いずれか一方の部材（軟らかい部材により構成されている側）の摩滅が進行し易くなるという虞も無い。
【００１９】
また、上記のような特徴を有するディスクブレーキ装置において前記ガイドピンは、前記スリーブ内において、前記爪部における前記ロータとの対向面に至る長さを有し、前記アウタ側ブレーキパッドは、摩擦部材と前記爪部に螺合されるプレッシャプレートを有し、前記プレッシャプレートには、制動時に前記スリーブに当接する耳部が設けられている構成とすると良い。
【００２０】
このような構成とすることによれば、キャリパが撓むことによりチルト量が増加した際には、アウタ側ブレーキパッドからの接線力をスリーブ（スリーブ内に配置されたガイドピン）が受けることとなり、チルト量の増大による偏摩耗の発生等を防ぐことが可能となる。
【００２１】
また、上記のような特徴を有するディスクブレーキ装置において前記耳部は、前記ロータの回出側に位置するスリーブに対する当接面を有するものとすることができる。
【００２２】
このような構成とした場合には、制動時の接線力が大きくなった際に、スリーブに対して耳部は、押しアンカ状態となる。
【００２３】
また、上記のような特徴を有するディスクブレーキ装置において前記外周側切欠き部は、前記ロータの回入側に位置する前記サイドブリッジ側の側壁に、前記スリーブに対する当接面を有することを特徴とするものとすることができる。
【００２４】
このような構成とした場合には、制動時の接線力に対し、サイドブリッジに設けた当接面が引きアンカ状態となり、アウタ側ブレーキパッドの耳部が、押しアンカ状態となる。
【００２５】
また、上記のような特徴を有するディスクブレーキ装置において前記耳部は、前記ロータの回入側、および回出側の双方に位置するスリーブに対する当接面を有するものとすることが望ましい。
【００２６】
このような構成とした場合には、制動時の接線力が大きくなった際に、スリーブに対して耳部は、押し、引き、両方でアンカ作用を得ることができる。
【００２７】
また、上記のような特徴を有するディスクブレーキ装置では、前記ロータの中心と前記シリンダ配置位置の中心とを通る直線に平行な軸をＹ軸と定めた場合に、前記スリーブに対する２面または４面の前記当接面がそれぞれ平行で、かつ前記Ｙ軸に平行に配置されるようにすると良い。
【００２８】
このような構成とすることによれば、プレッシャプレートからスリーブに対する接線力の伝達ロスが少なくなる。
【００２９】
また、上記のような特徴を有するディスクブレーキ装置において前記プレッシャプレートにおける前記爪部との対向面側には、螺号のために前記爪部に設けられた貫通孔に嵌入可能なボスが設けられるようにすると良い。
【００３０】
このような構成とした場合には、螺号のために設けたボルトが仮に脱落した場合であっても、アウタ側ブレーキパッドは、ボスによる引っ掛かりにより保持され、脱落する虞が無い。
【００３１】
また、上記のような特徴を有するディスクブレーキ装置において、前記キャリパボディと、前記スリーブとの間に、アンチラトルスプリングを設けるようにしても良い。
【００３２】
アンチラトルスプリングを設けることによれば、キャリパボディのガタツキと共に倒れ込みも抑制することができる。このため、ラトル音を抑制することができると共に、キャリパボディの姿勢安定化に伴い、ライニングの片摩耗等を抑制し、安定した制動性能を発揮することが可能となる。
【００３３】
また、上記のような特徴を有するディスクブレーキ装置において、前記スリーブにおける前記アウタ側ブレーキパッドおよび／または前記キャリパボディとの接触部を覆うカバープレートと、前記プレッシャプレートと前記爪部との間に介在される本体プレートとを備え、前記カバープレートと前記本体プレートとをバネ部材で接続しているパッドクリップを設けるようにしても良い。
【００３４】
このような構成とすることによれば、異金属間の接触による電蝕や、摺動、衝撃等による摩耗や摩滅を抑制することが可能となる。
【００３５】
さらに、上記のような特徴を有するディスクブレーキ装置では、前記内周側切欠き部と前記爪部との段差を埋めるカバーを備えるようにすることが望ましい。
【００３６】
このような構成とした場合には、ディスクブレーキ装置における外観のデザイン性を向上させることができる。
【００３７】
また、上記第２の目的を達成するためのカバーを備えたディスクブレーキ装置としては、上記のような構成に加え、前記カバーが、前記アウタ側ブレーキパッドのプレッシャプレートと、前記爪部との間に介在されるベースプレートと、前記爪部に形成された前記内周側切欠き部を介してアウタ側に露出するカバープレートと、を有することを特徴とするものとすると良い。
【００３８】
このような構成とすることによれば、ディスクブレーキ装置の外観デザインを向上させることができ、かつ軽量で組付け安定性が良く、ブレーキ性能の低下を招く虞が無い。また、カバーによりキャリパボディの剛性を高めることもできる。
【００３９】
さらに、上記のような特徴を有するディスクブレーキ装置では、前記ベースプレートには、前記アウタ側ブレーキパッドと共に爪部に共締め可能とするための固定孔を設けるようにすると良い。
【００４０】
このような構成とした場合には、キャリパに対するカバーの組付け状態を、より確実なものとすることが可能となる。
【発明の効果】
【００４１】
上記のような特徴を有するディスクブレーキ装置によれば、軽量化を図りつつ適正な剛性を保ち、かつ狭隘な車輪スペースにも搭載可能なディスクブレーキ装置とすることができる。
【図面の簡単な説明】
【００４２】
【図１】第１の実施形態に係るディスクブレーキ装置の構成を示す正面図である。
【図２】第１の実施形態に係るディスクブレーキ装置の構成を示す左側面図である。
【図３】第１の実施形態に係るディスクブレーキ装置の構成を示す背面図である。
【図４】第１の実施形態に係るディスクブレーキ装置の構成を示す上面図である。
【図５】第１の実施形態に係るディスクブレーキ装置の構成を示す底面図である。
【図６】図１におけるＡ−Ａ断面を示す図である。
【図７】キャリパボディを取り外したサポート、およびインナ側ブレーキパッドの配置構成を示す図である。
【図８】図２におけるＢ−Ｂ断面を示す図である。
【図９】実施形態に係るディスクブレーキ装置に採用可能なカバーを示す図であり、（Ａ）が正面、（Ｂ）が左側面、（Ｃ）が斜視をそれぞれ示す。
【図１０】アウタ側ブレーキパッドにおける耳部とスリーブとの関係を説明するための図であり、押しアンカから押し引きアンカに移行する構成を示す図である。
【図１１】アウタ側ブレーキパッドにおける耳部とスリーブとの関係を説明するための図であり、引きアンカから引き押しアンカに移行する構成を示す図である。
【図１２】第２の実施形態に係るディスクブレーキ装置の構成を示す図であり、図１を援用した場合に、Ｃ−Ｃ断面を示す図である。
【図１３】第２の実施形態に係るディスクブレーキ装置の構成を示す図であり、図２を援用した場合に、Ｂ−Ｂ断面を示す図である。
【図１４】発明に係るディスクブレーキ装置に適用可能なアウタ側ブレーキパッドの応用形態を説明するための図である。
【図１５】キャリパボディの一部をアンカリング要素として利用するタイプのディスクブレーキ装置の構成を示す正面図である。
【図１６】図２のＢ−Ｂ断面に相当する図１５の断面図である。
【図１７】非制動時におけるキャリパボディとスリーブ、およびガイドピンの配置形態を示す図である。
【図１８】制動初期時におけるキャリパボディとスリーブ、およびガイドピンの挙動を示す図であり、ロータ回入側のガイドピンがスリーブの内壁に当接した状態を示す。
【図１９】制動初期時におけるキャリパボディとスリーブ、およびガイドピンの挙動を示す図であり、ロータ回入側および回出側のガイドピンがスリーブの内壁に当接した状態を示す。
【図２０】制動時におけるキャリパボディとスリーブの挙動を示す図であり、ロータ回入側の切欠き部に形成された当接面ｅがスリーブの外周面に当接した状態を示す。
【図２１】制動時におけるキャリパボディとスリーブの挙動を示す図であり、ロータ回入側の切欠き部に形成された当接面ｅがスリーブの外周面に当接すると共に、アウタ側ブレーキパッドにおける回出側の耳部に設けた当接面ｃがスリーブの外周面に当接した状態を示す。
【図２２】図１５、図１６に示す実施形態に係るディスクブレーキ装置に用いたアンチラトルスプリングの形態を示す図であり、（Ａ）が正面、（Ｂ）が平面、（Ｃ）が右側面をそれぞれ示す。
【図２３】本発明に係るディスクブレーキ装置に適用可能なパッドクリップの具体的構成の一例を示す図であり、（Ａ）が正面、（Ｂ）が平面、（Ｃ）が右側面、（Ｄ）が斜視をそれぞれ示す。
【発明を実施するための形態】
【００４３】
以下、本発明のディスクブレーキ装置に係る実施の形態について、図面を参照しつつ詳細に説明する。
【００４４】
まず、図１から図９を主に参照して、本発明のディスクブレーキ装置に係る第１の実施形態について説明する。なお、図１は、実施形態に係るディスクブレーキ装置の正面構成を表す図である。また、図２は、同左側面の構成を表す図であり、図３は同背面構成、図４は同上面構成、図５は同底面構成をそれぞれ表す図である。また、図６は、図１におけるＡ−Ａ断面を示す図である。図７は、キャリパボディを取り外したサポートをインナ側から見た構成を示す図である。図８は、図２におけるＢ−Ｂ断面を示す図である。図９は、実施形態に係るディスクブレーキ装置に装着可能なカバーの構成を示す正面、左側面、斜視を示す３面図である。
【００４５】
本実施形態に係るディスクブレーキ装置１０は、キャリパボディ１２、サポート２４、インナ側ブレーキパッド３４、アウタ側ブレーキパッド４２、およびロータ６０を基本として構成されている。
【００４６】
キャリパボディ１２は、シリンダ部１４と爪部１６、センタブリッジ１８、およびサイドブリッジ２０を有する。シリンダ部１４は、実施形態に係るディスクブレーキ装置１０の駆動源であり、ピストン１４ａと、ピストン１４ａを収容、および突出させるためのシリンダ１４ｂを有する。また、シリンダ部１４には、詳細を後述するガイドピン５２を組付けるためのガイドピン組付け部２２が設けられている。ガイドピン組付け部２２は、ロータ６０の外周よりも外側に位置するように設けられている。組付けられたガイドピン５２をロータ６０の外周よりも外側に位置させ、ロータ６０とガイドピン５２の干渉を避けるためである。
【００４７】
爪部１６は、ピストン１４ａによって生ずる押圧力に対する反力受けである。爪部１６には、シリンダ部１４におけるシリンダ形成位置と対向する位置に、切欠き部１６ａ（内周側切欠き部）が設けられている。切欠き部１６ａを利用して、シリンダ部１４におけるシリンダ１４ｂの内周加工が行われるからである。爪部１６を構成する各ブロック（本実施形態に示す例では２つのブロック）には、それぞれボルトを挿通させるための貫通孔１６ｂ（図１２参照）が形成されている。貫通孔１６ｂは、段孔とされ、締結に用いられるボルト１７のボルト頭が外部に突出しない形態とすることが望ましい。キャリパボディ１２は、ロータ６０とホイール内壁との限られたスペースに配置されるため、ボディからの突出部位を減らすことにより、ホイールとの干渉を抑制することができると共に、フラット面の形成による美観の向上にも繋がるからである。
【００４８】
シリンダ部１４と爪部１６とは、ロータ６０の外周よりも外側を跨ぐセンタブリッジ１８とサイドブリッジ２０により接続されている。実施形態に係るディスクブレーキ装置１０では、センタブリッジ１８の中央に、貫通孔１９が設けられている。貫通孔１９を設けることにより、ブレーキパッド（インナ側ブレーキパッド３４およびアウタ側ブレーキパッド４２）におけるライニング３６，４４の減り具合の視認を容易に行うことが可能となると共に、制動時に生ずる熱の放熱にも寄与させることができる。サイドブリッジ２０は、センタブリッジ１８を基点として、ロータ６０の回入側と回出側にそれぞれ設けられる。サイドブリッジ２０を設けることによりキャリパボディ１２は、平面視で枠型のフレームを有する構造となる。このため、キャリパボディ１２の剛性を高めることができる。
【００４９】
よって、鋳鉄よりも軟質なアルミニウム（アルミニウムを主体とした合金を含む）などによりキャリパボディ１２を構成する場合であっても、センタブリッジ１８の肉厚（いわゆる背肉）を薄くしつつ、制動時に生ずるシリンダ部１４と爪部１６との間の開きや、ロータ回転方向への歪み（チルト）を抑制することができる。センタブリッジ１８やサイドブリッジ２０の肉厚を薄くすることによれば、車輪のホイール内壁とロータ６０の外周との隙間が狭い場合であっても、その隙間にキャリパボディ１２を配置することができる。
【００５０】
ホイール内壁とロータ６０の外周の間にキャリパ１２が収まらない場合、ホイールのインチアップや、ロータのサイズダウンといった対策を採る必要が生ずる。そうした場合、例えばホイールのインチアップを図ると、タイヤの偏平を小さくする必要が生じ、乗り心地の悪化を招いたり、大径ホイールの装着によるコストアップが懸念される。また、ロータのサイズダウンを図った場合には、ピストン径を大きくし、ロータに対して同じ液圧を付与した際に、広い押圧面を確保する必要が生ずる。液圧を高めることによりロータに対して高い押圧力を付与するようにした場合には、制動時に生ずるシリンダ部と爪部との間の広がりが大きくなってしまうためである。また、大径のピストンを採用する場合には、重量の増大や、ブレーキ操作時におけるペダルのタッチフィーリングの悪化等の問題が生ずることが懸念される。
【００５１】
また、上記のような構成とし、キャリパボディ１２をアルミニウム等の軽量部材により構成することによれば、ディスクブレーキ装置１０全体の軽量化を図ることができ、車両の運動性能向上にも寄与することができる。
【００５２】
センタブリッジ１８とサイドブリッジ２０との間にはそれぞれ、爪部１６に掛かるように形成された切欠き部２１（外周側切欠き部）が設けられている。切欠き部２１は、シリンダ部１４におけるガイドピン組付け部２２に対応する位置に設けられている。ガイドピン５２を摺動させるためのサポート２４におけるガイドピン案内部３２（本実施形態においてはガイドピン案内部３２に設けられたスリーブ５０）と、キャリパボディ１２との干渉を避けるためである。
【００５３】
また、爪部１６側における切欠き部２１は、ロータ６０の外周よりも外側にあたる部位の範囲で設けられている。爪部１６においてロータ６０の外周よりも内側の範囲にまで切欠き部２１を広げた場合、サイドブリッジ２０に接続された爪部１６の構成部位とセンタブリッジ１８に接続された爪部１６の構成部位との連結部位が小さくなり、当該連結部位での撓みが生じる。このため、サイドブリッジ２０の剛性によりセンタブリッジ１８の撓みを抑制するという効果が薄らぎ、キャリパボディ１２の開きや捻れを抑制するために、センタブリッジ１８の肉厚を厚くするという手段を採る必要が生じることとなる。これに対し、切欠き部２１の範囲をロータ６０の外周よりも外側にあたる部位といった最小限の範囲に抑えることにより、キャリパボディ１２全体としての剛性を高めることができると共に、捻れや開きに関する力の分散を図ることができる。
【００５４】
サポート２４は、車体に固定され、キャリパボディ１２を摺動自在に支持する役割を担う。本実施形態においてサポート２４は、キャリパボディ１２におけるシリンダ部１４と爪部１６との間、すなわちキャリパボディ１２のフレーム内に配置されている。
【００５５】
サポート２４には、少なくとも、アンカ２６と、ブリッジ２８、取り付け孔３０、およびガイドピン案内部３２が備えられている。アンカ２６は、ロータ６０の回入側と回出側のそれぞれに配置されている。本実施形態においては、インナ側ブレーキパッド３４を支持すると共に、インナ側ブレーキパッド３４が制動時に、ロータ６０の回転に供回りしようとする力を受けとめるトルク受け部としての役割を担う。
【００５６】
ブリッジ２８は、ロータ６０の回入側に配置されるアンカ２６と回出側に配置されるアンカ２６とを接続する接続部材である。取り付け孔３０は、各アンカ２６とブリッジ２８との接続部に設けられ、車両に設けられた取り付け穴（不図示）に対してボルト（不図示）を介してサポート２４を締結するための孔である。
【００５７】
ガイドピン案内部３２は、対を成すアンカ２６の先端であって、組付け状態においてはロータ６０の外周よりも外側となる位置に設けられた貫通孔、あるいは袋穴である。本実施形態では、ガイドピン案内部３２を貫通孔とし、当該貫通孔に袋状に形成したスリーブ５０を配置する構成とし、当該スリーブ５０内にガイドピン５２を摺動させるようにしている。
【００５８】
ディスクブレーキ装置１０の軽量化を図るために、サポート２４をアルミニウム等の軽量金属で形成した場合であっても、摺動部材であるガイドピン５２には、鉄などの鋼材が採用される。こうした場合、両者の間には構成材料の違いから、電蝕（電気科学的腐食）が生じ、摺動性能の悪化を招く虞がある。このため、摺動部材が接触する箇所にスリーブ５０を配置し、当該スリーブ５０をガイドピン５２と同質部材により構成することで、両者の間に生じる電蝕を防ぐことができ、かつ軽量化も図ることができる。また、サポート２４構成部材がガイドピン５２の構成部材よりも軟質である場合には、摺動に起因してガイドピン案内部３２が摩耗する虞があるが、硬質のスリーブ５０を配置することによれば、これを防ぐことができる。
【００５９】
なお、ガイドピン５２は、上述したキャリパボディ１２におけるシリンダ部１４の、ガイドピン組付け部２２に組付けられる棒状部材である。組付けに関しては、ガイドピン５２の基端をシリンダ部１４に配置し、先端を爪部１６側に配置するようにする。ここで、ガイドピン５２の長さは、組付け状態において爪部１６におけるロータ６０の対向面に至る程度の長さとすれば良い。
【００６０】
ここで、ガイドピン案内部３２、スリーブ５０、およびガイドピン５２は、組付け状態においてキャリパボディ１２に形成された切欠き部２１に位置するように配置されている。このような構成とすることで、ロータ６０の外周よりも外側に配置されることとなるガイドピン案内部３２、スリーブ５０、およびガイドピン５２が、キャリパボディ１２と干渉することを防ぐことができる。なお、ガイドピン案内部３２、スリーブ５０、およびガイドピン５２は、いずれもキャリパボディ１２におけるセンタブリッジ１８と２つのサイドブリッジ２０を結ぶことで構成される円弧の内側、すなわち、背肉部の厚みの範囲内となるように配置構成されている。このような構成とすることで、キャリパボディ１２が収容可能な領域であれば、ガイドピン案内部３２等がホイール等と干渉することが無いからである。
【００６１】
インナ側ブレーキパッド３４は、ロータ６０のインナ側に配置され、シリンダ部１４に備えられたピストン１４ａにより直接押圧されるブレーキパッドである。インナ側ブレーキパッド３４は、ロータ６０の摺動面に当接する摩擦部材であるライニング３６と、ライニング３６が貼付される鋼板であるプレッシャプレート３８から構成されている。インナ側ブレーキパッド３４は、サポート２４のアンカ２６に保持され、ロータ６０の軸方向へ摺動する構成を採る。このため、プレッシャプレート３８の端部（組付け状態でロータ６０の回入側と回出側に位置する端部）には、アンカ２６の内側に形成された凹形状に対応する凸状の耳部４０が形成されている。なお、組付け時においては、アンカ２６と耳部４０との間に、インナ側ブレーキパッド３４のガタつきを抑えると共に軸方向への摺動性を保つためのパッドクリップ５４が配置されることとなる。
【００６２】
アウタ側ブレーキパッド４２は、ロータ６０のアウタ側に配置され、インナ側ブレーキパッド３４がロータ６０に押し付けられることによる反力で、爪部１６によりロータ６０側へ押圧されるブレーキパッドである。アウタ側ブレーキパッド４２も、インナ側ブレーキパッド３４と同様に、ライニング４４とプレッシャプレート４６から構成されている。本実施形態におけるインナ側ブレーキパッド３４とアウタ側ブレーキパッド４２との違いは、プレッシャプレート４６の形態にある。本実施形態に係るディスクブレーキ装置１０では、アウタ側ブレーキパッド４２を爪部に螺合、すなわちボルト１７により固定する構成を採っている。このため、プレッシャプレート４６には、ボルト締めするための雌ネジ穴４６ａが形成されている。
【００６３】
雌ネジ穴４６ａの形成位置は、爪部１６に設けた貫通孔１６ｂに対応する位置とすると良い。これにより、貫通孔１６ｂを介してボルト１７により、アウタ側ブレーキパッド４２を爪部１６に固定することができる。切欠き部１６ａにより２つのブロックに分割された爪部１６におけるそれぞれのブロックにて、鋼板のプレッシャプレート４６をボルト締めすることにより、爪部１６とプレッシャプレート４６を一塊の構造体とみなすことができ、プレッシャプレート４６を強度メンバとして爪部１６（キャリパボディ１２）の剛性を向上させることができる。また、アウタ側ブレーキパッド４２を爪部１６に固定することにより、サポート２４による摺動保持が不要となる。よって、サポート２４にアウタ側フレームを形成する必要が無く、サポート２４の小型化による製造コストの削減、および軽量化の他、干渉防止のために設けるキャリパボディ１２における切欠き部２１の面積を抑制することにも寄与することができる。
【００６４】
また、雌ネジ穴４６ａは、ロータ６０を基準とした場合には、ロータ６０の外周を基点として、その内側（内周側）に配置される。さらに、雌ネジ穴４６ａは、アウタ側ブレーキパッド４２を正面から見た場合、ライニング４４における摩擦面の範囲内に配置される構成とする。
【００６５】
また、雌ネジ穴４６ａは、組付け状態において、２つの雌ネジ穴４６ａの中心を繋ぐ直線ｌが、キャリパボディ１２に設けられたシリンダ１４ｂの中心Ｏ１近傍を通るように配置する。このような構成とすることにより、ロータ６０から爪部１６にボルト固定されたアウタ側ブレーキパッド４２に伝達された制動トルクを無駄なく、キャリパボディ１２（爪部１６）に伝達することができる。すなわち、制動時のトルクが負荷される接線方向に対して、爪部１６とアウタ側ブレーキパッド４２との一体性を高めることができ、キャリパボディ１２の構成の一部として、スリーブ５０、およびサポート２４へ、接線力を伝達することができる。
【００６６】
プレッシャプレート４６に形成されている耳部４８は、制動時に、スリーブ５０に当接する配置形態とすることが望ましい。制動時にキャリパボディ１２に撓みが生じた際、アウタ側ブレーキパッド４２の耳部４８がスリーブ５０に当接することで、スリーブ５０がアンカとしての役割を果たし、センタブリッジ１８やサイドブリッジ２０、および爪部１６に掛かる負荷を軽減することができるからである。ここで、スリーブ５０内に収容されているガイドピン５２は上述したように、シリンダ部１４を基点として、爪部１６におけるロータ６０の対向面に至る長さを持つ。このため、爪部１６のロータ６０の対向面に固定されたアウタ側ブレーキパッド４２のプレッシャプレート４６がスリーブ５０に当接する際には、その内部にガイドピン５２が配置されていることとなる。よって、耳部４８の当接によりスリーブ５０が凹み等の損傷を受ける虞は無い。
【００６７】
本実施形態に係るアウタ側ブレーキパッド４２におけるプレッシャプレート４６の耳部４８は、図８に示すように、スリーブ５０を上方から覆うハンガ型とし、ロータ６０の半径方向内周側に向けた開口部を持つ凹部を形成している。耳部４８をこのような形態とした場合、ロータ６０の回入側に位置する耳部４８では、耳部４８の先端側がスリーブに当接し、いわゆる引きアンカ状態となる。一方で、ロータ６０の回出側に位置する耳部４８では、耳部４８の基端側がスリーブ５０に当接し、いわゆる押しアンカ状態となる。また、このような形態によれば、アウタ側ブレーキパッド４２を爪部１６に組み付けた後、スリーブ５０が配置されたサポート２４に、キャリパボディ１２を組付けることができる。
【００６８】
本実施形態では図８に示すように、平面視で、ロータ６０の回転中心Ｏ０とシリンダ１４ｂの中心Ｏ１とを通る直線に平行な軸をＹ軸と定める。また、図中Ｙ軸に直交する直線をＸ軸と定め、Ｙ軸、Ｘ軸と交差し、ロータ６０の回転軸に平行な直線をＺ軸と定める。
【００６９】
このような環境下においては、耳部４８とスリーブ５０との当接面である当接面ａ、当接面ｂ、当接面ｃ、当接面ｄの４面は、それぞれ平行となるように形成されている。そして、各当接面ａ〜ｄは、Ｙ軸、より具体的にはＹ軸とＺ軸の成す面（ＹＺ面）と平行に形成されることとなる。スリーブ５０における外周面がＺ軸に平行に配置されるため、このような構成とすることにより、当接時における制動トルクの伝達ロスが少なくなるからである。なお、耳部４８の形態をこのようなものとする場合、耳部４８とスリーブ５０との間の隙間を調整することにより、押しアンカのみ、引きアンカのみ、あるいは、制動初期時は押しアンカ（または引きアンカ）のみで、本制動時には押しアンカと引きアンカ（または引きアンカと押しアンカ）となるようにすることもできる。押し引きアンカとスリーブとの関係については、図１０、図１１にそれぞれ一例を示す。なお、以下の説明は、図８に示すようにロータ６０の回転方向を時計回り（右回り）と想定した際の説明である。
【００７０】
図１０に示す例は、耳部４８のフック部分の中心間距離Ｌ２が、スリーブ５０（ガイドピン５２）の中心間距離Ｌ１よりも長い場合の例を示すものである。このような構成とした場合、スリーブ５０と耳部４８におけるフック部分との間に生ずる隙間が、プレッシャプレート４６の中心側に生じる隙間ｄ１よりも、プレッシャプレートの端部側に生じる隙間ｄ２の方が大きくなる。このため、制動初期時であって、キャリパボディ１２あるいはガイドピン５２を含むスリーブ５０の撓みが少ない場合には、ロータ６０の回出側に配置されたスリーブ５０と耳部４８との隙間ｄ１がゼロとなり、当接面ｃがスリーブ５０と接触して押しアンカ状態となる。その後、接線力が高まった場合、ロータ６０の回入側に配置されたスリーブ５０と耳部４８との隙間ｄ２がゼロとなり、当接面ａとスリーブ５０とが接触して引きアンカ状態となる。つまり、Ｌ１＜Ｌ２とした場合には、ｄ１＜ｄ２となり、押しアンカから押し引きアンカの状態に至る構成となる。
【００７１】
一方、図１１に示す例は、耳部４８のフック部分の中心間距離Ｌ２が、スリーブ５０（ガイドピン５２）の中心間距離Ｌ１よりも短い場合の例を示すものである。このような構成とした場合、スリーブ５０と耳部４８におけるフック部分との間に生ずる隙間が、プレッシャプレート４６の中心側に生じる隙間ｄ１よりも、プレッシャプレートの端部側に生じる隙間ｄ２の方が小さくなる。このため、制動初期時であって、キャリパボディ１２あるいはガイドピン５２を含むスリーブ５０の撓みが少ない場合には、ロータ６０の回入側に配置されたスリーブ５０と耳部４８との隙間ｄ２がゼロとなり、当接面ａがスリーブ５０と接触して引きアンカ状態となる。その後、接線力が高まった場合、ロータ６０の回出側に配置されたスリーブ５０と耳部４８との隙間ｄ１がゼロとなり、当接面ｃがスリーブ５０と接触して押しアンカ状態となる。つまり、Ｌ１＞Ｌ２とした場合には、ｄ１＞ｄ２となり、引きアンカから引き押しアンカの状態に至る構成となる。なお、本説明では、ロータ６０の回転方向が時計回り（右回り）の場合を想定して説明したために、スリーブ５０と接触する当接面は、当接面ａと当接面ｃとなったが、ロータ６０の回転方向を反時計回り（左回り）とした場合には、当接面ｂと当接面ｄがスリーブ５０と接触することとなる。また、図１０および図１１では、説明の理解を促すために、スリーブ５０と各当接面ａ〜ｄの間に明らかな隙間があるように記載しているが、実際には、スリーブ５０と各当接面ａ〜ｄの間の隙間は、ごく僅か、あるいはほぼ接触している状態となっており、制動時に、各当接面ａ〜ｄに接線力が負荷されることとなる。
【００７２】
ロータ６０は、インナ側ブレーキパッド３４とアウタ側ブレーキパッド４２との間に配置される回転板であり、各ブレーキパッドにおけるライニング３６，４４の対向位置に摺動面を有する。ロータ６０は、図示しない車輪と共に供回りするように固定されている。
【００７３】
また、本実施形態に係るディスクブレーキ装置１０には、爪部１６に形成される切欠き部１６ａを覆うカバー７０が備えられている。カバー７０は、キャリパボディ１２のアウタ側側面（正面）に生ずる凹凸を平滑化し、キャリパボディ１２の外観的な印象を変化させる。
【００７４】
カバー７０は、ベースプレート７２とカバープレート７４から構成されている。ベースプレート７２は、カバー７０をキャリパボディ１２に固定するためのプレートである。本実施形態の場合ベースプレート７２は、アウタ側ブレーキパッド４２のプレッシャプレート４６と、爪部１６との間に配置され、プレッシャプレート４６を爪部１６に固定するボルト１７により、共締めされる。このため、ベースプレートには、ボルト１７を挿通させるための固定孔７２ａが形成されている。このような構成とすることにより、カバー７０がキャリパボディ１２から脱落する虞が無くなる。
【００７５】
カバープレート７４は、カバー７０の主体部分であり、その形状は多岐に亙る。例えば本実施形態の場合、切欠き部１６ａにより生ずるプレッシャプレート４６と、爪部１６のアウタ側面との間の段差を平滑化するように、ベースプレート７２に対して凸状となるように形成されている。そして、爪部１６の肉薄部分に沿うように、凸状に形成されたカバープレート７４にも、ロータ７０の内径側に配置される方向へ向けて、凸の厚みが薄くなるように傾斜が設けられている。このように、切欠き部１６ａによってキャリパボディ１２のアウタ側側面に生ずる段差を被覆し、外観の印象を変化させることで、ディスクブレーキ装置１０のデザイン性を向上させ、いわゆる高級感や個性を出すことが可能となる。
【００７６】
ボルト固定可能なカバー７０により切欠き部１６ａを覆う構成とすることにより、その交換をするだけで、手軽にキャリパボディ１２の外観に変化やアクセントを与えることが可能となる。また、キャリパボディ１２全体を被覆する構成としていないため、放熱性を良好に保つことができ、ブレーキ性能を良好に維持することができる。さらに、キャリパボディ１２全体を被覆するものに比べて軽量である。このため、車両全体として見た場合には、燃費の向上にもつながる。
【００７７】
次に、本発明のディスクブレーキ装置に係る第２の実施形態について、図１２、図１３を参照して説明する。本実施形態に係るディスクブレーキ装置１０ａのほとんどの構成は、上述した第１の実施形態に係るディスクブレーキ装置と同様である。よって、その構成を同一とする箇所には、図面に同一符号を付して、詳細な説明は省略すると共に、概観図については、第１の実施形態に係るディスクブレーキ装置に関するものを援用するものとする。なお、図１２は、本実施形態に係るディスクブレーキ装置の特徴的構成を示す断面図であり、図１を援用した場合には、Ｃ−Ｃ断面にあたる図である。また、図１３は、図２を援用した場合に、Ｂ−Ｂ断面にあたる図である。
【００７８】
本実施形態に係るディスクブレーキ装置１０ａと、第１の実施形態に係るディスクブレーキ装置１０との相違点は、アウタ側ブレーキパッド４２の構成にある。具体的には、アウタ側ブレーキパッド４２を構成するプレッシャプレート４６に、爪部１６に形成した貫通孔１６ｂに嵌合するボス４６ｂを設けた点にある。
【００７９】
ボス４６ｂを設けたプレッシャプレート４６を採用した場合であっても、爪部１６に対してボルト１７を介して固定されることとなるが、プレッシャプレート４６の爪部１６との対向面に、貫通孔１６ｂに嵌入可能なボス４６ｂを形成することにより、アウタ側ブレーキパッド４２を固定するボルト１７が仮に脱落した場合であっても、アウタ側ブレーキパッド４２が落下する虞が無い。
【００８０】
このように、本実施形態に係るディスクブレーキ装置１０ａでは、第１の実施形態に対し、安全面における信頼性をより高めることが可能となる。
【００８１】
次に、上記各実施形態に対して対応可能なアウタ側ブレーキパッドについて、図１４を参照して説明する。本形態に対応するアウタ側ブレーキパッド４２ａは、上記実施形態において説明したアウタ側ブレーキパッド４２と比較すると、耳部４８の形態が異なる。上記実施形態において説明したアウタ側ブレーキパッド４２の耳部４８がハンガ型であったのに対し、本形態におけるアウタ側ブレーキパッド４２ａの耳部４８ａは、直線状に切り落とされた当接面とされ、簡略化された形態となっている。
【００８２】
アウタ側ブレーキパッド４２ａの耳部４８ａをこのような形態とした場合であっても、スリーブ５０に対する当接面を有することより、制動時においては、スリーブ５０によるアンカ効果を得ることができる。しかし、本形態における耳部４８ａは、切り落としの当接面であるため、いわゆる引きアンカによるアンカ効果を得ることはできない。このため、アンカ効果は、ロータ６０の回出側に位置するスリーブ５０に対する押しアンカによるもののみとなる。なお、プレッシャプレート４６の形態として、本形態のようなものを採用した場合には、上記実施形態において説明したものに比べ、板取性が向上することとなる。このため、材料コスト、および重量を低減できる他、外形形状の単純化に伴う加工コストの低減も図ることができる。
【００８３】
次に、図１４に示したような耳部４８ａを直線状に切り落としたタイプのアウタ側ブレーキパッド４２ａや、図１５、図１６に示すような耳部４８ｂをハンガ型としないタイプのアウタ側ブレーキパッド４２ｂを用いて引きアンカと押しアンカ双方のアンカ効果を奏することを可能とするディスクブレーキ装置１０ｂについて説明する。
【００８４】
本実施形態では、ボルト１７を介した固定によりアウタ側ブレーキパッド４２ｂと一体化されている爪部１６を、トルク受け要素として利用する点を特徴とし、その他の構成、作用等に関しては、上述した各実施形態と同様である。よって、その構成を同一とする箇所には、図面に同一符号を付して、その詳細な説明を省略することとする。
【００８５】
上記実施形態に係るディスクブレーキ装置１０，１０ａとの具体的な相違点としては、切欠き部２１の構成にある。上述した実施形態に係るディスクブレーキ装置１０，１０ａにおけるキャリパボディ１２では、キャリパボディ１２とスリーブ５０との干渉を避けるように切欠き部２１を設けていた。これに対し本実施形態に係るディスクブレーキ装置１０ｂでは、キャリパボディ１２に設けた切欠き部２１のうち、サイドブリッジ２０側に位置する爪部１６に当接面ｅ，ｆを構成している（図１７参照）。
【００８６】
このような構成とすることにより、ロータ６０の回入側においては、切欠き部２１に設けた当接面ｅがスリーブ５０に接触することで、引きアンカを成し、ロータ６０の回出側では、プレッシャプレート４６の耳部４８ｂに設けた当接面ｃがスリーブ５０に接触することで、押しアンカを成すこととなる（図１７参照）。また、上述したように、耳部４８ｂの形状をハンガ型としたものに比べ、板取性の向上、材料コスト、重量、および加工コストの低減を図ることが可能となる。また、プレッシャプレート４６に締結されたキャリパボディ１２の一部をアンカ要素として引きアンカの効果を奏するため、耳部の板幅を広げたハンガ型とする必要性が無い。このため、ホイール内壁との隙間が狭い場合であっても、ロータ６０の回入側における引きアンカを実現させることができる。さらに、切欠き部２１に当接面ｅ，ｆを構成するために、当該部を凸状に形成することによれば、実質的に切欠き部２１の開口面積を縮小することとなる。このため、キャリパボディ１２の剛性を高めることができる。
【００８７】
このような特徴的な構成を有するディスクブレーキ装置では、キャリパボディにおける当接面ｅ，ｆは、刃具をロータの半径方向から挿入し、挿入した刃具を軸方向へスライドさせることで加工することができる。キャリパボディにおけるセンタブリッジ１８とサイドブリッジ２０との間には、切欠き部２１が設けられている。このため、切欠き部２１を利用して刃具を挿入することができる。
【００８８】
本実施形態に係るディスクブレーキ装置１０ｂでは、各当接面とスリーブとの隙間が、図１７に示すように定められている。すなわち、ロータの回転方向を時計回り（図中右から左への回転）とした場合、回入側の切欠き部２１に設けた当接面ｅとスリーブ５０との間の隙間Ｄ３が、回出側の耳部４８ｂに設けた当接面ｃとスリーブ５０との間の隙間Ｄ４よりも狭くなるように設定されている。また、本実施形態に係るディスクブレーキ装置１０ｂでは、スリーブ５０とガイドピン５２との間の隙間Ｄ１，Ｄ２について、設計上Ｄ２＞Ｄ１となるように定められている。なお、図１７〜図２１においては、説明を理解しやすくするために、各構成部材間の隙間Ｄ１〜Ｄ４を、実際よりも大きく示すと共に、スリーブ５０内においてガイドピン５２が浮いているように示している。このような配置設定により、制動時においては、次のような挙動でトルク受けが成される。
【００８９】
まず、制動初期時においては、サポート２４に固定されたスリーブ５０に対して、キャリパボディ１２がロータ６０の回転方向へずれることとなる。このため、図１８に示すように、ロータ６０の回入に配置されたスリーブ５０内において、ガイドピン５２が回出側内周面に当接する（引きアンカ：隙間Ｄ１＝０）。次に、図１９に示すように、回出側に配置されたスリーブ５０内において、ガイドピン５２が回出側内周面に当接する（押しアンカ：隙間Ｄ２＝０）。このような挙動が瞬時的に成され、その後にキャリパボディ１２、およびプレッシャプレート４６を介したアンカリングが成される。すなわち、図２０に示すように、回入側において、切欠き部２１に設けた当接面ｅがスリーブ５０の回入側外側面に当接する（引きアンカ：隙間Ｄ３＝０）。さらに制動トルクが上昇すると、図２１に示すように、回出側において、プレッシャプレート４６の耳部４８ｂに設けた当接面ｃが、スリーブ５０における回入側外側面に当接する（押しアンカ：隙間Ｄ４＝０）。
【００９０】
また、本実施形態に係るディスクブレーキ装置１０ｂには、アンチラトルスプリングを組み付けている。
【００９１】
アンチラトルスプリングは、キャリパボディ１２の倒れ込みを防止し、姿勢の安定化を図るための要素である（半径方向位置決め要素）。アンチラトルスプリング８０は、例えば図２２に示すように、キャリパ側係合部８２と、スリーブ側係合部８８とを有し、両者がバネ部９２により接続されている。なお、図２２（Ａ）は、アンチラトルスプリングの正面形態を示す図であり、（Ｂ）は平面形態、（Ｃ）は右側面形態をそれぞれ示す図である。
【００９２】
図２２に示す形態のアンチラトルスプリング８０では、キャリパ側係合部８２には、クリップ部８４と、荷重ポイント８６，９０が設けられている。クリップ部８４は、キャリパボディ１２の一部を挟持し（図１５で示す例では、センタブリッジ１８に形成した貫通孔１９を形成している背肉部のうちの薄肉化されている部分を挟持）、アンチラトルスプリング８０全体をキャリパボディ１２に安定保持させるための要素である。キャリパ側係合部８２における荷重ポイント８６は、キャリパボディ１２の内周側に接触し、キャリパボディ１２を持ち上げる方向（ロータ６０の半径方向外周側へ向かう方向）の荷重を付与する。
【００９３】
一方、スリーブ側係合部８８は、スリーブ５０に当接する荷重ポイント９０を備えていれば足りる。スリーブ側係合部８８の荷重ポイント９０は、スリーブ５０を押し下げる方向（ロータの半径方向内周側へ向かう方向）の荷重を付与する。
【００９４】
各荷重ポイント８６，９０により、上記のような荷重が付与されることで、キャリパボディ１２は、爪部１６側において、スリーブ５０を基点として押上げられることとなり、姿勢の安定化を図ることができる。これにより、非制動時等におけるキャリパボディ１２の無用な揺動を抑制することができ、ラトル音を抑制することができる。また、制動時においても、キャリパボディ１２の挙動を安定させることができ、安定した制動力を得ることができる。
【００９５】
また、実施形態に係るディスクブレーキ装置１０ｂは、図２３に示すようなパッドクリップを備えるようにしても良い。なお、図２３（Ａ）は、パッドクリップの正面形態を示す図であり、（Ｂ）は平面形態、（Ｃ）は右側面形態、（Ｄ）は斜視形態をそれぞれ示す図である。
【００９６】
パッドクリップ１００は、アウタ側ブレーキパッド４２ｂ（アウタ側ブレーキパッド４２ｂに締結されたキャリパボディ１２も含む）がロータ６０の円周方向において、トルク受け部であるスリーブ５０間の中心に位置するように姿勢制御すると共に（円周方向位置決め要素）、被覆部の摩耗や摩滅を防止するための要素である。
【００９７】
具体的な構成の一例として、パッドクリップ１００は、本体プレート１０２と、カバープレート１０６とを有し、両者がバネ部１０４により接続されている。図２３に示す形態のパッドクリップ１００では、本体プレート１０２を爪部１６とプレッシャプレート４６との間に配置する。このような構成とした場合、ボルト１７によりアウタ側ブレーキパッド４２ｂが爪部１６に締結されることで、パッドクリップ１００の位置決めが成される。
【００９８】
また、カバープレート１０６は、ハンガ型の形状を有し、スリーブ５０の外周面をロータ６０の外周側から覆うように配置する。このような構成とすることで、耳部４８ａとスリーブ５０の外周部との接触を避けることができる。これにより、異金属間における電蝕や、摺動や制動時の衝撃による摩耗や摩滅を抑制することができる。バネ部１０４は、２つのスリーブ５０間に配置されたアウタ側ブレーキパッド４２ｂの円周方向における位置決めを行う。これにより、アウタ側ブレーキパッド４２ｂと一体化されたキャリパボディ１２の円周方向位置も安定することとなる。
【符号の説明】
【００９９】
１０，１０ａ，１０ｂ………ディスクブレーキ装置、１２………キャリパボディ、１４………シリンダ部、１４ａ………ピストン、１４ｂ………シリンダ、１６………爪部、１６ａ………切欠き部、１６ｂ………貫通孔、１７………ボルト、１８………センタブリッジ、１９………貫通孔、２０………サイドブリッジ、２１………切欠き部、２２………ガイドピン組付け部、２４………サポート、２６………アンカ、２８………ブリッジ、３０………取り付け孔、３２………ガイドピン案内部、３４………インナ側ブレーキパッド、３６………ライニング、３８………プレッシャプレート、４０………耳部、４２，４２ａ，４２ｂ………アウタ側ブレーキパッド、４４………ライニング、４６………プレッシャプレート、４６ａ………雌ネジ穴、４６ｂ………ボス、４８，４８ａ，４８ｂ………耳部、５０………スリーブ、５２………ガイドピン、５４………パッドクリップ、６０………ロータ、７０………カバー、７２………ベースプレート、７２ａ………固定孔、７４………カバープレート、８０………アンチラトルスプリング、８２………キャリパ側係合部、８４………クリップ部、８６………荷重ポイント、８８………スリーブ側係合部、９０………荷重ポイント、９２………バネ部、１００………パッドクリップ、１０２………本体プレート、１０４………バネ部、１０６………カバープレート。
【図１】
2014101998.tif 000003
【図２】
2014101998.tif 000004
【図３】
2014101998.tif 000005
【図４】
2014101998.tif 000006
【図５】
2014101998.tif 000007
【図６】
2014101998.tif 000008
【図７】
2014101998.tif 000009
【図８】
2014101998.tif 000010
【図９】
2014101998.tif 000011
【図１０】
2014101998.tif 000012
【図１１】
2014101998.tif 000013
【図１２】
2014101998.tif 000014
【図１３】
2014101998.tif 000015
【図１４】
2014101998.tif 000016
【図１５】
2014101998.tif 000017
【図１６】
2014101998.tif 000018
【図１７】
2014101998.tif 000019
【図１８】
2014101998.tif 000020
【図１９】
2014101998.tif 000021
【図２０】
2014101998.tif 000022
【図２１】
2014101998.tif 000023
【図２２】
2014101998.tif 000024
【図２３】
2014101998.tif 000025